(57)【要約】【課題】消費電力を増加させることなく電子機器の消費電力に関する情報を表示することができる電子機器を提供する。【解決手段】電子機器が動作している状態における、前記電子機器の消費電力と関係する設定の状態を示す設定状態を検知する設定状態検知部と、前記電子機器が、前記動作している状態から動作していない状態に変化した場合、前記電子機器が動作していた時における前記電子機器の消費電力に関する消費電力情報を算出する情報算出部と、電子機器が動作している状態において画像情報に基づく画像を表示する表示部とは別体として構成され、前記情報算出部により算出された前記消費電力情報を表示する情報表示部と、を備える。【選択図】図７
2020076824.tif 000002
【特許請求の範囲】
【請求項１】
電子機器が動作している状態における、前記電子機器の消費電力と関係する設定の状態を示す設定状態を検知する設定状態検知部と、
前記電子機器が、前記動作している状態から動作していない状態に変化した場合、前記電子機器が動作していた時における前記電子機器の消費電力に関する消費電力情報を算出する情報算出部と、
電子機器が動作している状態において画像情報に基づく画像を表示する表示部とは別体として構成され、前記情報算出部により算出された前記消費電力情報を表示する情報表示部と、
を備える電子機器。
【請求項２】
前記情報表示部は、主電源がオフされていれば外部電源により駆動され、主電源がオフされていなければ内部電源により駆動される、
請求項１に記載の電子機器。
【請求項３】
前記情報表示部は、太陽電池により駆動される、
請求項１に記載の電子機器。
【請求項４】
前記情報表示部は、液晶表示モジュールである、
請求項１から請求項３のいずれか一項に記載の電子機器。
【請求項５】
前記情報表示部は、電子ペーパーである、
請求項１から請求項３のいずれか一項に記載の電子機器。
【請求項６】
前記情報算出部は、前記設定状態が変更される毎に、変更前の状態と当該状態が継続された時間とに基づいて、前記電子機器における変更前の状態が継続された間の消費電力を算出する、
請求項１から請求項５のいずれか一項に記載の電子機器。
【請求項７】
前記情報算出部は、前記設定状態に対応する消費電力に関する情報を示す消費電力情報算出テーブルと、前記設定状態検知部で検知された前記設定状態とに基づいて、前記電子機器の消費電力に関する情報を算出する、
請求項１から請求項６のいずれか一項に記載の電子機器。
【請求項８】
前記情報表示部は、前記電子機器の背面に配置される、
請求項１から請求項７のいずれか一項に記載の電子機器。
【請求項９】
設定状態検知部が、電子機器が動作している状態における、前記電子機器の消費電力と関係する設定の状態を示す設定状態を検知し、
情報算出部が、前記電子機器が、前記動作している状態から動作していない状態に変化した場合、前記電子機器が動作していた時における前記電子機器の消費電力に関する消費電力情報を算出し、
情報表示部が、電子機器が動作している状態において画像情報に基づく画像を表示する表示部とは別体として構成され、前記情報算出部により算出された前記消費電力情報を表示する、
電子機器の情報表示方法。
【発明の詳細な説明】
【技術分野】
【０００１】
本発明は、電子機器、及び電子機器の情報表示方法に関する。
【背景技術】
【０００２】
プロジェクタやディスプレイのような電子機器では、設定状態により、消費電力が異なってくる。例えば、明るさの設定値を大きくすると、画面が明るくなる一方で消費電力は大きくなる。このため、設定値によっては入力電流や消費電力が大きくなるために、電源投入時に予期せぬブレーカーの遮断が生じることがある。このことから、電子機器における消費電力に関する情報を認知できる機能が要望されている。このような事情から、例えば、特許文献１には電力使用量をリアルタイムに計測する技術が開示されている。
【先行技術文献】
【特許文献】
【０００３】
【特許文献１】特開２０００−１６２２５２号公報
【発明の概要】
【発明が解決しようとする課題】
【０００４】
しかしながら、特許文献１に記載されているものでは、リアルタイムに消費電力を導出するために消費電力を求める演算を繰り返す必要があり、消費電力が増加するという課題がある。
【０００５】
上述の課題を鑑み、本発明は、消費電力を増加させることなく電子機器の消費電力に関する情報を表示することができる電子機器、及び電子機器の情報表示方法を提供することを目的とする。
【課題を解決するための手段】
【０００６】
本発明の一態様に係る電子機器は、電子機器が動作している状態における、前記電子機器の消費電力と関係する設定の状態を示す設定状態を検知する設定状態検知部と、前記電子機器が、前記動作している状態から動作していない状態に変化した場合、前記電子機器が動作していた時における前記電子機器の消費電力に関する消費電力情報を算出する情報算出部と、電子機器が動作している状態において画像情報に基づく画像を表示する表示部とは別体として構成され、前記情報算出部により算出された前記消費電力情報を表示する情報表示部と、を備える。
【０００７】
本発明の一態様に係る電子機器の情報表示方法は、設定状態検知部が、電子機器が動作している状態における、前記電子機器の消費電力と関係する設定の状態を示す設定状態を検知し、情報算出部が、前記電子機器が、前記動作している状態から動作していない状態に変化した場合、前記電子機器が動作していた時における前記電子機器の消費電力に関する消費電力情報を算出し、情報表示部が、電子機器が動作している状態において画像情報に基づく画像を表示する表示部とは別体として構成され、前記情報算出部により算出された前記消費電力情報を表示する。
【発明の効果】
【０００８】
本発明によれば、電子機器が動作していない状態に変化した場合にその電子機器が動作していた時の消費電力に関する情報を出力する。電子機器が動作している状態においてリアルタイムで出力することをしないために、電子機器の消費電力の増加させることなく電子機器の消費電力をユーザに知らせることが可能である。
【図面の簡単な説明】
【０００９】
【図１】第１の実施形態に係る表示装置１の構成例を示すブロック図である。
【図２Ａ】第１の実施形態に係る表示装置１における消費電力情報算出テーブルの一例の説明図である。
【図２Ｂ】第１の実施形態に係る表示装置１における消費電力情報算出テーブルの一例の説明図である。
【図３】第１の実施形態に係る表示装置１の背面斜視図である。
【図４】第１の実施形態に係る表示装置１の動作例を示すフローチャートである。
【図５Ａ】第１の実施形態に係る情報出力部２０の表示例を示す図である。
【図５Ｂ】第１の実施形態に係る情報出力部２０の表示例を示す図である。
【図５Ｃ】第１の実施形態に係る情報出力部２０の表示例を示す図である。
【図６】第２の実施形態に係る表示装置１０１の背面斜視図である。
【図７】実施形態に係る電子機器２０１の構成例を示すブロック図である。
【発明を実施するための形態】
【００１０】
以下、本発明の実施の形態について図面を参照しながら説明する。
【００１１】
（第１の実施形態）
まず、第１の実施形態について説明する。
図１は、本発明の第１の実施形態に係る電子機器としての表示装置１の構成を示すブロック図である。表示装置１は、「電子機器」の一例である。
【００１２】
図１において、表示装置１は、プロジェクタ型の表示装置であり、入力部１１と、映像処理部１２と、表示部１３と、光源１４と、音声処理部１５と、スピーカ１６と、ファン１７と、操作部１８と、電源部１９と、情報出力部２０と、制御部２１と、記憶部２２とを備えている。
【００１３】
入力部１１は、外部の映像機器から映像信号及び音声信号を入力する。入力部１１としては、ＨＤＭＩ（High Definition Multimedia Interface）（登録商標）、ＶＧＡ（Video Graphics Array）、ＲＧＢコンポーネント等が用いられる。外部の映像機器は、例えばＰＣ（Personal Computer）である。
【００１４】
映像処理部１２は、入力部１１からの入力映像信号（「画像情報」の一例）に対して、制御部２１の制御の下に、明るさ補正、色補正、解像度変換等、種々の映像処理を行う。映像処理部１２の出力は、表示部１３に供給される。
【００１５】
表示部１３は、表示画像をスクリーン（図示せず）に投射して入力映像信号に基づく画像表示する。表示部１３は、画像を投射する光学系を含んでいる。なお、投射方式としては、液晶投射方式でもＤＬＰ（Digital Light Processing）(登録商標)方式でも良い。
【００１６】
光源１４は投写用の光源であり、表示部１３の光学系に対して配設される。光源１４としては、ハロゲンランプ、キセノンランプ等が用いられる。光源１４の光量は、制御部２１により制御される。
【００１７】
音声処理部１５は、入力部１１からの入力音声信号に対して、制御部２１の制御の下に、音量設定、音質設定、電力増幅等、音声処理を行う。音声処理部１５の出力は、スピーカ１６に供給される。スピーカ１６は、音声信号を音響に変換して出力する。
【００１８】
ファン１７は、装置内部の冷却を行う。ファン１７は、制御部２１の制御の下に回転される。
【００１９】
操作部１８は、ユーザ入力を受け付けて、各種の設定を行う。操作部１８からの操作情報は、制御部２１に送られる。操作部１８としては、キーやボタンの他に、赤外線等を用いて遠隔操作を行うリモートコントローラを用いても良い。
【００２０】
電源部１９は、商用電源を所望の電圧の直流電源に変換して、各部に供給する。また、電源部１９は、制御部２１の制御の下に、スタンバイ電源に設定できる。
【００２１】
情報出力部２０は、消費電力に関する情報（入力電流値、消費電力値）を、電源オフの間に情報表示部２３に出力する。
情報表示部２３は、情報出力部２０からの出力に応じた情報の表示を行う。情報表示部２３を構成する表示モジュールとしては、電源オフの間、消費電力に関する情報を保持して表示できる極めて消費電力の小さいものが用いられる。
【００２２】
制御部２１は、ＣＰＵ(Central Processing Unit)等からなり、表示装置１の全体制御を行っている。
【００２３】
記憶部２２には、各種のデータが保存される。記憶部２２としては、ＲＯＭ（Read Only Memory）、ＥＥＰＲＯＭ（Electrically Erasable and Programmable Read Only Memory）、ＲＡＭ（Random Access Memory）、フラッシュメモリ等が用いられる。
【００２４】
本実施形態では、記憶部２２には、設定状態格納部３１と、消費電力情報算出テーブル３２が含められる。設定状態格納部３１は、制御部２１で検知された各部の設定値（特に、消費電力と関係する設定値）を保存する。消費電力情報算出テーブル３２は、設定値と入力電流及び消費電力とを対応付けたテーブルである。消費電力情報算出テーブル３２は、表示装置１の設定状態から、入力電流及び消費電力等の消費電力に関する情報を算出するのに用いられる。なお、消費電力情報算出テーブル３２は、記憶部２２において、ＥＥＰＲＯＭやフラッシュメモリ等、電源オフ時にデータが保持できる記憶素子に設けられる。
【００２５】
制御部２１は、ユーザが設定値を変更したとき、変更した設定値に応じて、設定状態格納部３１を書き換える。記憶部２２は、設定状態格納部３１の設定値が書き換わったタイミングでその設定値を制御部２１へ送信する。制御部２１は、消費電力情報算出テーブル３２と設定値を参照して、入力電流及び消費電力等の消費電力に関する情報を算出し、情報出力部２０へ転送する。情報出力部２０は、電源オフになるときに、消費電力に関する情報を情報表示部２３に出力する。情報表示部２３は、情報出力部２０からの情報を表示する。
【００２６】
制御部２１及び設定状態格納部３１は、電子機器の動作している状態での設定状態を検知する設定状態検知部として機能する。また、制御部２１及び消費電力情報算出テーブル３２は、設定状態から電子機器の消費電力に関する情報を算出する情報算出部として機能する。情報表示部２３は、電子機器の動作が、動作している状態から動作していない状態に変化した場合、動作していた時の電子機器の消費電力に関する情報を表示する。
【００２７】
図２Ａ及び図２Ｂは、本発明の第１の実施形態に係る表示装置１における消費電力情報算出テーブル３２の一例の説明図である。消費電力情報算出テーブル３２は、予め各部を各種の設定状態に設定し、そのときの入力電流及び消費電力を計測して作成される。
【００２８】
図２Ａに示すように、消費電力情報算出テーブル３２には、画面の明るさ、音量、ファン等、各種の設定状態に対応する入力電流及び消費電力の対応値が格納されている。なお、図２Ｂに示すように、各設定値は、設定範囲毎に区分されている。例えば、明るさが「０」から「３０」の範囲なら明るさの設定値は「Ａ」とし、明るさが「３１」から「５０」の範囲なら明るさの設定値は「Ｂ」とし、明るさが「５１」から「１００」の範囲なら明るさの設定値は「Ｃ」としている。
【００２９】
例えば、明るさの設定値が「１５」、音量の設定値が「２０」、ファンがオフなら、図２Ｂの区分から、明るさの設定値は「Ａ」、音量の設定値は「Ａ」、ファンの設定値は「Ａ」となる。この場合、図２Ａにおけるテーブル番号＃０００１のテーブルから、入力電流値は「１．３８Ａ」、消費電力値は「３０５Ｗ」として求められる。電源オフになると、この入力電流値「１．３８Ａ」及び消費電力値「３０５Ｗ」が情報表示部２３に表示される。
【００３０】
図３は、本発明の第１の実施形態に係る表示装置１の背面斜視図である。図３に示すように、表示装置１の筐体の前面１ａには、表示部１３の光学系４１が設けられる。表示装置１の筐体の背面１ｂには、電源ラインの入力部４２の近傍に、表示部１３とは別体として情報表示部２３が設けられる。前述したように、情報表示部２３には、電源オフ時に、機器を起動する前の設定状態での消費電力に関する情報が表示される。
【００３１】
図４は、本発明の第１の実施形態に係る表示装置１での処理を示すフローチャートである。
【００３２】
（ステップＳ１０１）制御部２１は、電源部１９の電源がオンされたことを検出し、電源がオンとされたら、処理をステップＳ１０２に進める。
【００３３】
（ステップＳ１０２）制御部２１は、各部の設定値を検知し、各部の設定値が変更されたか否かを判定する。設定値が変更されていなければ（ステップＳ１０２：Ｎｏ）、処理をステップＳ１０６に進め、設定値が変更されていれば（ステップＳ１０２：Ｙｅｓ）、処理をステップＳ１０３に進める。
【００３４】
（ステップＳ１０３）制御部２１は、変更された設定値により、設定状態格納部３１の書き換え処理を行い、処理をステップＳ１０４に進める。
【００３５】
（ステップＳ１０４）制御部２１は、設定状態格納部３１に取り込まれた設定値と消費電力情報算出テーブル３２とを参照して、表示装置１の消費電力に関する情報（入力電流値、消費電力値）を算出して、処理をステップＳ１０５に進める。
【００３６】
（ステップＳ１０５）制御部２１は、求められた消費電力に関する情報を情報出力部２０に転送して、処理をステップＳ１０６に進める。
【００３７】
（ステップＳ１０６）制御部２１は、電源部１９の電源がオフになるか否かを判定し、電源オンの状態なら（ステップＳ１０６：Ｎｏ）、処理をステップＳ１０２に戻し、電源オフなら（ステップＳ１０６：Ｙｅｓ）、処理をステップＳ１０７に進める。
【００３８】
ステップＳ１０２からステップＳ１０６の処理を繰り返すことにより、電源オン時に、設定値の変更が検出される毎に、設定状態格納部３１が書き換えられる。そして、消費電力に関する消費電力情報算出テーブル３２を参照して、消費電力に関する情報（入力電流値、消費電力値）が算出され、この消費電力に関する情報が情報出力部２０に転送される。そして、ユーザが電源をオフすると、ステップＳ１０６で、電源オフと判定され、ステップＳ１０７に処理が進められる。
【００３９】
なお、電源オフのとき、通常の操作では、主電源は切らずに、アクティブオフとなる。アクティブオフのときには、表示装置１の主要部はスリープモードの状態になっており、表示装置１は、スタンバイ電源で駆動される。主電源スイッチを操作したり、電源プラグを抜いたりした場合には、主電源オフとなる。
【００４０】
（ステップＳ１０７）ステップＳ１０６で、電源オフと判定されると、制御部２１は、主電源がオンか否かを判定し、主電源がオンなら（ステップＳ１０７：Ｙｅｓ）、処理をステップＳ１０８に進め、主電源がオフなら（ステップＳ１０７：Ｎｏ）、処理をステップＳ１０９に進める。
【００４１】
（ステップＳ１０８）制御部２１は、スタンバイ電源を情報表示部２３に給電して、処理をステップＳ１１０に進める。
【００４２】
（ステップＳ１０９）制御部２１は、外部電源を情報表示部２３に給電して、処理をステップＳ１１０に進める。外部電源としては、バックアップ用の補助電源でも良いし、他の機器（例えばＰＣ）からの電源であっても良い。
【００４３】
（ステップＳ１１０）制御部２１は、情報表示部２３に、電源オフの間、消費電力に関する情報を表示する。
【００４４】
次に、本発明の第１の実施形態に係る表示装置１における情報表示部２３について説明する。図５は、本発明の第１の実施形態に係る表示装置１における情報表示部２３の表示の説明図である。情報表示部２３としては、表示装置１がオフ状態でも情報を表示できるような消費電力の小さい表示モジュールを用いることが望まれる。このような表示モジュールとしては、セグメント表示の液晶表示モジュールを用いることが考えられる。
【００４５】
図５Ａは、本発明の第１の実施形態に係る表示装置における情報出力部の表示の一例の説明図である。この例では、情報表示部２３として、（８文字×２列）の１４セグメント表示の液晶表示モジュールが用いられる。上述の例では、消費電力に関する情報として、入力電流値と消費電力値を算出している。この場合、（８文字×２列）程度の液晶表示モジュールを用いれば、入力電流値と消費電力値とを同時に一括して表示できる。図５Ａの例では、液晶表示モジュールの上列５１ａに、入力電流（ＩＮＩ１．３８Ａ）を表示し、下列５１ｂに、消費電力（ＷＡＴＴ３０５Ｗ）を表示している。
【００４６】
表示装置１の背面１ｂに十分な広さの情報表示部２３の表示面を設ける位置が確保できない場合、或いは情報表示部２３の消費電力を更に小さくしたい場合には、更に小型の液晶表示モジュールを用いることができる。
【００４７】
図５Ｂは、本発明の第１の実施形態に係る表示装置における情報出力部の表示の他の例の説明図である。この例では、情報表示部２３として、（４文字×２列）の１４セグメント表示の液晶表示モジュールが用いられている。このような液晶表示モジュールでは、入力電流値と消費電力値とを表示させるには、十分な領域が得られない。この場合には、入力電流値と消費電力値とをトグル表示させる。トグル表示では、所望のスイッチを押すごとに、入力電流値の表示５２ａと消費電力値の表示５２ｂとが切り替わる。
【００４８】
図５Ｃは、本発明の第１の実施形態に係る表示装置における情報出力部の表示の更に他の例の説明図である。この例は、電子ペーパー５３を情報表示部２３として使用した例である。電子ペーパー５３としては、電気泳動方式等、様々なものを用いることができる。電子ペーパー５３は、画像保持のための電気は必要とせず、画像の書き換え時にも少しの消費電力で済む。また、電子ペーパー５３は、セグメント表示のモジュールと異なり、画像を表示でき、表示位置や文字数の制限がない。このため、電子ペーパー５３を情報表示部２３として使用した場合には、入力電流値と消費電力値とを一括して表示できる。
【００４９】
また、本実施形態では、電源オフの間に、消費電力に関する情報を情報表示部２３に表示するため、電源オフの間にも、情報表示部２３の表示を保持するための電源が必要になる。本実施形態では、前述したように、表示装置１がアクティブオフの状態なら、内部の電源部１９からスタンバイ電源を情報表示部２３に供給し、表示装置１の主電源がオフされている状態なら、外部の映像機器、例えばＰＣから電源を情報表示部２３に供給して、情報表示部２３の表示を保持するための電源を確保している。
【００５０】
更に、太陽電池を設け、太陽光からの電源を情報表示部２３に供給して、電源オフの間、情報表示部２３の表示を保持するようにしても良い。
【００５１】
また、上述の例では、電子機器として、プロジェクタ型の表示装置を用いているが、液晶ディスプレイ等の他の表示装置を用いても良い。
【００５２】
また、消費電力に関する情報は、情報表示部２３に表示するだけでなく、例えば装置に内蔵された非接触端末（ＮＦＣ：Near Field Communication）で読み取れるようにしても良い。
【００５３】
以上説明したように、第１の実施形態に係る表示装置１では、筐体の背面１ｂに設けられた情報表示部２３により、機器を起動する前の電源オフの状態で、機器の設定状態に応じた消費電力に関する情報が表示される。これにより、ユーザが表示装置１を設置する際に電源をオンした場合にその機器に実際に流れる電流を認識することができるために、実態に応じた電力管理を行うことができる。また、この例では、リアルタイムでの電力計測は行っていないので、消費電力の増大を招くことはない。なお、初回起動の場合には、例えば消費電力に関する情報として、工場設定値を表示する。
【００５４】
従来から、設置業者などにより電子機器が設置された後に、電子機器に供給される電力の状況や電流の事情（ブレーカーが落ちたなど)から、電子機器に不具合が生じた場合、開発部隊で開発が終了した後であっても、営業職などを経由して問合せが寄せられる場合がある。このような問合せには、電子機器の入力電流、電力（有効電力、皮相電力）を確認するものが多い。問合せの中には、マニュアルや裏銘板を確認すれば解決する場合もあるが、マニュアルや裏銘板に記載していない電力条件での問い合わせである場合も多い。マニュアルや裏銘板に記載していない電力条件の問合せがあると、その都度、開発部隊が、開発当時の評価データを確認して返答している。問合せの電力条件が開発当時の評価データに残されていない場合も多く、再度の測定を行うなどの手間が生じていた。
【００５５】
これに対し、本実施形態の電子機器は、設定状態に応じた消費電力、つまりユーザごとの電子機器の使用状態に応じた消費電力が表示することができるために、その表示を確認することで、マニュアルや裏銘板にない電力条件であっても電子機器の消費電力等を確認でき、問合せをする必要がない。このため、開発部隊が問合せに応じる手間を低減させることが可能である。
【００５６】
また、第１の実施形態に係る表示装置１では、情報表示部２３は、主電源がオフされていれば外部電源により駆動され、主電源がオフされていなければ内部電源により駆動されるため、主電源がオフされた状態であっても表示することができる。
また、第１の実施形態に係る表示装置１では、情報表示部２３は、太陽電池により駆動されるようにしてもよいために、電子機器に供給される商用電源からの電力を消費しないようにすることが可能である。
また、第１の実施形態に係る表示装置１では、情報表示部２３は、液晶表示モジュールであってもよく、この場合には、例えば１４セグメント表示の液晶表示モジュールをもちいて装置コストを抑えることが可能である。
また、第１の実施形態に係る表示装置１では、情報表示部２３は、電子ペーパーであってもよく、この場合には、表示を維持するための電力を消費しないか、又は消費したとしても極小とすることが可能である。また、表示を書き換える際の消費電力も非常に少なくすることが可能となる。
【００５７】
また、第１の実施形態に係る表示装置１では、制御部２１（「情報算出部」の一例）は、設定状態が変更される毎に、変更前の状態と当該状態が継続された時間とに基づいて、表示装置１における変更前の状態が継続された間の消費電力を算出する。これにより第１の実施形態に係る表示装置１では、設定状態の変化に応じて消費電力を算出でき、より正確な消費電力を算出することが可能である。
また、第１の実施形態に係る表示装置１では、制御部２１は、設定状態に対応する消費電力に関する情報を示す消費電力情報算出テーブル３２と、制御部２１（「設定状態検知部」の一例）で検知された設定状態とに基づいて、表示装置１の消費電力に関する情報を算出する。これにより第１の実施形態に係る表示装置１では、設定状態に応じて消費電力情報算出テーブル３２を参照するという容易な方法で消費電力を算出することが可能である。
また、第１の実施形態に係る表示装置１では、情報表示部２３は、表示装置１の背面に配置されるようにしてもよく、この場合、裏銘板などと一緒に、表示装置の電力条件を確認することが可能である。
【００５８】
（第２の実施形態）
次に第２の実施形態について説明する。
図６は、本発明の第２の実施形態に係る表示装置１０１の背面斜視図である。この実施形態は、本発明を液晶ディスプレイ型の表示装置１０１に適用したものである。図６に示すように、表示装置１０１の筐体の前面１０１ａには、液晶ディスプレイ１４１が設けられる。表示装置１０１の筐体の背面１０１ｂには、電源ラインの入力部１４２の近傍に、情報表示部１２３が設けられる。情報表示部１２３には、電源オフ時に、機器を起動する前の設定状態での消費電力に関する情報が表示される。
【００５９】
また、本発明は、表示装置に限らず、オーディオアンプ等、他の電子機器にも同様に適用することができる。
【００６０】
図７は、本発明による電子機器２０１の基本構成を示す概略ブロック図である。図７に示すように、本発明による電子機器２０１は、設定状態検知部２０２と、情報表示部２０３とを備える。設定状態検知部２０２は、電子機器の動作している状態での設定状態を検知する。情報表示部２０３は、動作状態が、動作している状態から動作していない状態に変化した場合、動作していた時に電子機器が消費した消費電力に関する情報を出力する。このような電子機器２０１では、情報表示部２０３により、機器の起動前の電源オフの状態で、機器の設定状態に応じた消費電力に関する情報を知らせることができる。
【００６１】
上述した実施形態における表示装置１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００６２】
以上、この発明の実施形態について図面を参照して詳述してきたが、具体的な構成はこの実施形態に限られるものではなく、この発明の要旨を逸脱しない範囲の設計等も含まれる。
【符号の説明】
【００６３】
１…表示装置、１２…映像処理部、１３…表示部、１４…光源、１８…操作部、１９…電源部、２０…情報出力部、２１…制御部、２２…記憶部、２３…情報表示部、３１…設定状態格納部、３２…消費電力情報算出テーブル、２０１…電子機器、２０２…設定状態検知部、２０３…情報表示部
【図１】
2020076824.tif 000003
【図２Ａ】
2020076824.tif 000004
【図２Ｂ】
2020076824.tif 000005
【図３】
2020076824.tif 000006
【図４】
2020076824.tif 000007
【図５Ａ】
2020076824.tif 000008
【図５Ｂ】
2020076824.tif 000009
【図５Ｃ】
2020076824.tif 000010
【図６】
2020076824.tif 000011
【図７】
2020076824.tif 000012